(57)【要約】【課題】  ボス自体を強調して視認者に見せることができる指針式車両用計器を提供する。【解決手段】  ボス３の表面形状を円錐形状とする。文字板１の外周に光源４を配置して、文字板１の面と平行な方向でボス３の表面に光を入射させるようにする。そして、ボス３の表面に同心円状の溝３ａを設け、その中心に向かって、光源４の光を入射させる。これにより、光源４の点灯時では、単にボス表面に光をあててボス表面を光らせるだけでなく、ボス３の表面に、放射線状の光の線模様を表すことができ、ボス３を強調することができる。【選択図】        図１
2006084197.tif 000002
【特許請求の範囲】
【請求項１】
文字板（１）と、
前記文字板（１）の前面側に配置され、前記文字板（１）上を回動する指針（２）と、
前記指針の回転中心部（２ｂ、１ｂ）を覆う覆い部材（３、２５）と、
前記文字板（１）の前面および前記覆い部材（３、２５）の表面を照明する光源（４、２３）とを備える車両用計器において、
前記覆い部材（３、２５）は、その表面に前記光源（４、２３）からの入射光方向に対して交差する方向に延びる溝（３ａ、２５ｃ）が複数形成されていることを特徴とする車両用計器。  
【請求項２】
文字板（１）と、
前記文字板（１）の前面側に配置され、前記文字板（１）上を回動する指針（２）と、
前記指針の回転中心部（２ｂ、１ｂ）を覆う覆い部材（３、２５）と、
前記文字板（１）の前面および前記覆い部材（３、２５）の表面を照明する光源（４、２３）とを備える車両用計器において、
前記覆い部材（３、２５）は、前記覆い部材（３、２５）の表面に複数の平行な溝（３ａ、２５ｃ）が形成されており、
前記複数の溝（３ａ、２５ｃ）は、前記覆い部材（３、２５）の表面への前記光源（４、２３）からの入射光を、前記文字板（１）の前方であって、前記入射光の進行方向と同一の平面方向に向けて、反射するように配置されていることを特徴とする車両用計器。
【請求項３】
前記複数の溝（３ａ、２５ｃ）は、前記覆い部材（３、２５）の表面に同心円状に配置されていることを特徴とする請求項１または２に記載の車両用計器。
【請求項４】
前記覆い部材（３、２５）の表面に前記光源（４、２３）からの光が入射した場合、前記覆い部材（３、２５）の表面での反射光が複数の方向に進むようになっており、
前記覆い部材（３、２５）の表面は、複数の前記反射光のうち、最も強い前記反射光の進行方向が、運転者の視線方向に向くような形状となっていることを特徴とする請求項１ないし３のいずれか１つに記載の車両用計器
【請求項５】
前記光源（４）の光が、前記文字板（１）の面に平行な方向で、前記覆い部材（３）の表面に入射されるようになっており、
前記覆い部材（３）の表面は、円錐形状であることを特徴とする請求項４に記載の車両用計器。
【請求項６】
前記光源（２３）の光が、前記覆い部材（２５）よりも前方から、前記覆い部材（２５）の表面に入射されるようになっており、
前記覆い部材（２５）の表面は、球状であることを特徴とする請求項４に記載の車両用計器。
【請求項７】
前記覆い部材（２５）は、上面（２５ａ）と側面（２５ｂ）とを有する円筒形状であり、前記上面（２５ａ）が球状であることを特徴とする請求項６に記載の車両用計器。
【請求項８】
前記文字板（１）は、前記覆い部材（３、２５）の表面に形成された前記溝（３ａ、２５ｃ）と、同様の配置形状の溝（３ａ、２５ｃ）を有することを特徴とする請求項１ないし７のいずれか１つに記載の車両用計器。
【発明の詳細な説明】
【技術分野】
【０００１】
本発明は、指針を有する車両用計器に関するものである。
【背景技術】
【０００２】
従来、指針を有する車両用計器は、文字板と、文字板の前面側に配置され、文字板上を回動する指針と、指針の回転中心部を覆う覆い部材（以下、ボスと呼ぶ）とを備えている。ここで、ボスは、指針基部（指針軸）や、指針軸が通っている文字板の開口部を隠し、運転者等に視認されないようにするために用いられる。
【０００３】
このような車両用計器の１つとして、文字板の前方に指針および指針を照明する光源が配置されているものがある（例えば、特許文献１参照）。この車両用計器では、ボスの前面（運転者に視認される側の面）にも光があたるため、運転者はこのボスも視認する。
【０００４】
しかし、これは、単にボスに光があたるだけで、特に、ボス自体を強調しているものではなかった。
【０００５】
これに対して、ボス自体を意図的に強調して視認者に見せる車両用計器がある。例えば、ボスを、その裏面から透過照明して、ボスの外周を環状に光らせる車両用計器がある（例えば、特許文献２参照）。
【特許文献１】実開平２−５５１２０号公報
【特許文献２】特開２００３−４２８１６号公報
【発明の開示】
【発明が解決しようとする課題】
【０００６】
本発明は、上記した従来技術とは異なる方法で、ボス自体を強調して視認者に見せることができる車両用計器を提供することを目的とする。
【課題を解決するための手段】
【０００７】
上記目的を達成するため、請求項１に記載の発明では、覆い部材（３、２５）は、その表面に前記光源（４、２３）からの入射光方向に対して交差する方向に延びる溝（３ａ、２５ｃ）が複数形成されていることを特徴としている。
【０００８】
これにより、光源を点灯した場合、覆い部材の表面に対する光の入射方向に対して上記溝が交差する方向に存在するため、光はこの溝に対して反射し、しかもこの溝が複数存在する。このため、覆い部材自体を強調して視認者に見せることができる。
【０００９】
請求項２に記載の発明では、覆い部材（３、２５）には、覆い部材（３、２５）の表面に複数の平行な溝（３ａ、２５ｃ）が形成されており、  複数の溝（３ａ、２５ｃ）が、光源（４、２３）からの入射光を、文字板（１）の前方であって、入射光の進行方向と同一の平面方向に向けて、反射するように配置されていることを特徴としている。
【００１０】
これにより、光源を点灯した場合、覆い部材の表面に、光源からの入射光と平行な方向に伸びる光の線模様を表すことができる。この結果、本発明によれば、覆い部材自体を強調して視認者に見せることができる。
【００１１】
なお、光源の数は、１つでも複数でも良く、光源の数により、線模様の数を変更することができる。
【００１２】
複数の溝の具体的な配置方法としては、請求項３に示すように、複数の溝（３ａ、２５ｃ）を、覆い部材（３、２５）の表面に同心円状に配置することができる。
【００１３】
例えば、このような溝を設け、複数の方向から覆い部材の中心に向けて、光源の光を覆い部材の表面にあてた場合、覆い部材の表面に、放射状の線模様を表すことができる。
【００１４】
請求項１ないし３に記載の発明に関して、覆い部材の表面を、光源から入射された光を文字板の前方に反射させる形状とする必要があるが、特に、請求項４に示すように、覆い部材（３、２５）の表面に光源（４、２３）からの光が入射した場合に、覆い部材（３、２５）の表面での反射光が複数の方向に進むようになっているとき、覆い部材（３、２５）の表面を、複数の反射光のうち、最も強い反射光の進行方向が、運転者の視線方向に向くような形状とすることが好ましい。
【００１５】
覆い部材の表面形状としては、具体的には、以下のようにすることができる。
【００１６】
請求項５に示すように、例えば、光源（４）の光が、文字板（１）の面に平行な方向で、覆い部材（３）の表面に入射されるようになっている場合では、覆い部材（３）の表面を円錐形状とすることができる。
【００１７】
また、請求項６に示すように、例えば、光源（２３）の光が、覆い部材（２５）よりも前方から、覆い部材（２５）の表面に入射されるようになっている場合では、  覆い部材（２５）の表面を、球状とすることができる。ここで、前方とは、運転者側の位置からの意味である。
【００１８】
請求項６に記載の発明に関して、覆い部材の表面全体を球状としたり、請求項７に示すように、覆い部材の一部を球状としたりすることができる。なお、請求項７に記載の発明では、覆い部材（２５）は、上面（２５ａ）と側面（２５ｂ）とを有する円筒形状であり、上面（２５ａ）が球状であることを特徴としている。
【００１９】
また、請求項８に示すように、文字板（１）の前面に対して、覆い部材（３、２５）の表面に形成された溝（３ａ、２５ｃ）と、同様の配置形状の溝（３ａ、２５ｃ）を設けることもできる。
【００２０】
これにより、同じ光源からの光により、覆い部材の表面と、文字板とに連続した光の線模様を表すことができる。この結果、光源を点灯した場合にいても、運転者は、覆い部材と文字板とを、一体感を持って、見ることができる。
【００２１】
なお、上記各手段の括弧内の符号は、後述する実施形態に記載の具体的手段との対応関係を示す一例である。
【発明を実施するための最良の形態】
【００２２】
（第１実施形態）
図１に、本発明の第１実施形態における車両用計器の正面図を示す。また、図２（ａ）に、図１の車両用計器のＡ−Ａ’線断面図を示し、図２（ｂ）に、図１、２（ａ）中のボス３の側面斜視図を示す。本実施形態では、文字板１に対して光が略平行に入射されるタイプのスピードメータを例として説明する。
【００２３】
本実施形態の車両用計器は、文字板１と、指針２と、覆い部材としてのボス３と、光源４とを備えている。
【００２４】
文字板１は、図１に示すように、０、２０、４０等のスピードを示す文字を表示するようになっている。図２（ａ）に示すように、文字板１の裏面側には、基板５と、基板５上の文字板用光源６と、この光源６の光を文字板１に反射させる反射板７とが配置されている。文字板１は、文字板用光源６により、透過照明される。なお、文字板１の裏面には、文字板１に対して文字板用光源６の光を均一に拡散させる拡散板１３が配置されている。
【００２５】
また、文字板１の前面には、図１に示すように、文字板１の中心を基点とした同心円状の小さな溝１ａが設けられている。これにより、同心円状のヘアーライン模様が構成されている。
【００２６】
指針２は、図２（ａ）に示すように、文字板１の前方（前面側）に配置されている。指針２は、文字板１上を回動する指針部２ａと、指針部２ａと接続されている指針軸２ｂとを有している。指針軸２ｂは、文字板１の中央の開口部１ｂを通って、文字板１の裏面側に配置されている基板５上のムーブメント８と接続されている。なお、指針軸２ｂと開口部１ｂが、本発明の回転中心部に相当する。
【００２７】
光源４は、図２（ａ）に示すように、文字板１の裏面側に位置する基板５上に固定されている。光源としては、例えば、発光ダイオード（ＬＥＤ）を用いることができる。光源４は、図１、２（ａ）に示すように、文字板１の周囲に、一定間隔で、８個配置されている。
【００２８】
光源４は、導光体９を介して、文字板１の前面およびボス３の表面を照明する。具体的には、導光体９は、文字板１の周囲に配置され、図１に示すように、計器を正面から見るとリング形状であり、図２（ａ）に示すように、断面を見ると、光源４から文字板１の前面に至る形状となっている。そして、光源４の光が、導光体９の反射面９ａで反射し、出光面９ｂから射出して、文字板１と平行な方向であって、ボス３の中心に向かって、ボス３の表面に入射するようになっている。
【００２９】
また、導光体９は、前面９ｃの外周側がカバー（プレート）１０により、覆われている。そして、導光体９の前面９ｃのうち、カバー１０から露出している部位に、目盛り１１が配置されている。
【００３０】
また、導光体９と反射板７との間には、文字板用の光源６と、ボス用の光源４との光を遮断するための遮光板１２が配置されている。この遮光板１２は、反射板７と一体となっている。
【００３１】
ボス３は、図１、２（ａ）に示すように、指針軸２ｂや文字板１の開口部１ｂを隠すように、指針２の前方に配置されている。ボス３は、本実施形態では、図２（ｂ）に示すように、円錐形状である。すなわち、図１に示すように、正面から見ると、ボス３は円形状であり、図２（ａ）に示すように、断面は三角形形状となっている。また、ボス３は金属により構成されている。このボス３は、指針２の回動とともに回動するようになっている。なお、ボス３の内部を空洞化し、その内部に指針２を発光させるための光源を収納させることもできる。
【００３２】
ボス３の表面は、図２（ａ）に示すように、導光体９の出光面９ｂから入射される光を運転者の視認方向、すなわち、文字板１に対して略垂直方向（図中矢印方向）に、反射するように、面の角度が設定されている。
【００３３】
これにより、ボス３の表面では、導光体９の出光面９ｂから光が入射されると、複数の方向に光が反射するが、それら複数の反射光のうち、最も強い反射光の進行方向が、運転者の視線方向に向くようになっている。
【００３４】
ボス３の表面には、図１、２（ｂ）に示すように、円錐の頂点を中心とした同心円状の複数の小さな溝３ａが設けられている。これにより、文字板１と同様に、同心円状のヘアーライン模様が構成されている。溝３ａは、隣の溝との間隔が例えば０．３ｍｍであり、深さが例えば０．０５ｍｍである。また、溝３ａの断面形状は、図示しないが、例えば、三角形となっている。なお、溝３ａの断面形状を半円等、種々の形状とすることもできる。
【００３５】
次に、ボス用の光源４を点灯させたときにおける文字板１の前面とボス３の表面の模様について説明する。図３に、光源点灯時における本実施形態の車両用計器の正面図を示し、図４に、図３の車両用計器のＡ−Ａ’線断面図を示す。
【００３６】
図３に示すように、ボス用の光源４の点灯時では、文字板１の前面と、ボス３の表面とには、ボス３の中央を中心として、複数の線２０が文字板１の外周に向かって放射状に伸びた光の模様が表れる。
【００３７】
これは、以下の理由によると推測される。文字板１の前面およびボス３の表面には、互いに隣り合う連続軌跡の同心円状の溝１ｃ、３ａが形成されている。そして、文字板１の外周からボス３の中心に向かって光が照射されている。したがって、これらの溝１ｃ、３ａが伸びている方向と、文字板１の外周から文字板１およびボス３に照射された光の進行方向とが、垂直になっている。
【００３８】
このため、ボス３の各溝３ａ等では、光が照射されると、図４に示すように、計器の前面側（運転者側）の方向であって、複数の方向に光が反射するが、これらの反射光は、すべて、各溝に入射された光の進行方向と同一の平面方向（図４中の紙面方向）に向く。
【００３９】
この結果、運転者等の視認者は、ボス３の表面および文字板１の前面に、ボス３の外周から中心に向かう光の線模様２０を視認することができる。
【００４０】
なお、本実施形態とは異なり、ボスの表面が平面で溝が形成されていない場合では、ボスの表面に光が照射されても、光が多方向に反射するため、本実施形態のように、線上に光らず、ボス表面の光が照射された領域は、広がりを持って光ってしまう。
【００４１】
以上説明したように、（１）本実施形態では、ボス３の表面形状を円錐形状として、文字板１の面と平行な方向でボス３の表面に光を入射させるようにしている。そして、ボス３の表面に同心円状の溝３ａを設け、その中心に向かって、光を入射させている。
【００４２】
これにより、光源４の点灯時では、単にボス表面に光をあててボス表面を光らせるだけでなく、ボス３の表面に、放射線状の光の線模様２０を表すことができ、ボス３を強調することができる。
（２）本実施形態では、ボス３と文字板１とに同心円状の溝３ａ、１ｃを設けている。そして、同じ光源４により、ボス３の表面と文字板１の前面とに光を照射している。
【００４３】
これにより、光源４の消灯時だけでなく、点灯時においても、ボス３と文字板１とに連続した模様を表すことができ、ボス３と文字板１とに一体感を持たせることができる。
（３）本実施形態では、ボス３と文字板１とに表される模様は、光源消灯時では、複数の同心円模様であり、光源点灯時では、放射状の線模様である。これにより、昼と夜とにおいて、計器の意匠を異ならせることができる。
【００４４】
（第２実施形態）
本実施形態では、ボスよりも上方から光が入射されるタイプのスピードメータを例として説明する。図５に、本発明の第２実施形態における車両用計器の正面図を示す。また、図６（ａ）に、図５の車両用計器のＡ−Ａ’線断面図を示し、図６（ｂ）に図５、６（ａ）中のボス２５の側面斜視図を示す。なお、図５、６（ａ）では、図１、２に示す計器と同様の構成部には、図１、２と同一の符号を付しているため、本実施形態では、主に、図１、２と異なる構成部について説明する。
【００４５】
本実施形態の車両用計器は、図６（ａ）に示すように、文字板１の前面側であって、文字板１の外周に配置された円筒状の壁（プレート）２１と、壁２１の上端（運転者側端部）に配置された光源用基板２２と、光源用基板２２に固定された光源２３と、光源用基板２２および光源２３を隠す円状のカバー２４と、ボス２５とを備えている。  
【００４６】
光源２３は、文字板１およびボス２５よりも前方（運転者側）に配置されている。これにより、光源２３の光が、文字板１およびボス２５の前方から、文字板１の前面およびボス２５の表面に到達するようになっている。光源２３は、本実施形態においても、図５に示すように、文字板１の周囲に、一定間隔で、８個配置されている。
【００４７】
ボス２５の表面は、図６（ａ）、（ｂ）に示すように、第１実施形態と異なり、上面２５ａと側面２５ｂとを有する円筒形状であり、その上面２５ａは、運転者側に対して凸の球面状（曲面状）となっている。なお、この上面２５ａとは、運転者側を向いている面のことである。
【００４８】
また、この上面２５ａは、図６（ａ）に示すように、光源２３から入射される光を運転者の視認方向、すなわち、文字板１に対して略垂直方向（図中矢印方向）に、反射するように、面形状（曲率等）が設定されている。
【００４９】
これにより、ボス２５の表面（上面２５ａ）では、光源２３から光が入射されると、複数の方向に光が反射するが、それら複数の反射光のうち、最も強い反射光の進行方向が、運転者の視線方向に向くようになっている。
【００５０】
また、図５、６（ｂ）に示すように、ボス２５の上面２５ａと、側面２５ｂとに複数の平行な溝２５ｃが設けられている。なお、これらの溝２５ｃは、第１実施形態と同様に、ボス２５の上面２５ａの中心を基準とした同心円形状に配置されている。
【００５１】
このように、本実施形態では、側面２５ｂにも溝２５ｃが設けられているので、計器を正面からでなく、計器を斜めの方向から見た場合にいても、ボス２５の模様を視認者が認識できるようになっている。
【００５２】
図７に、光源点灯時における本実施形態の車両用計器の正面図を示し、図８に、図７の車両用計器のＡ−Ａ’線断面図を示す。
【００５３】
本実施形態においても、光源２３の点灯時では、ボス２５の各溝２５ｃでは、光が照射されると、図８に示すように、計器の前面側の方向であって、複数の方向に光が反射するが、これらの反射光は、すべて、各溝に入射された光の進行方向と同一の平面方向（図８中の紙面方向）に向く。
【００５４】
これにより、ボス２５の表面に、ボス２５の中央を中心として、複数の線２０が文字板１の外周に向かって放射状に伸びた光の模様を表すことができる。  
【００５５】
また、本実施形態においても、文字板１の表面の溝１ａにより、ボス２５の表面と連続した線模様を表すことができる。ただし、本実施形態では、ボス２５の前方から文字板１の前面に光を照射するようにしているため、第１実施形態と比較して、文字板１の線模様をくっきりと表すことができる。この結果、本実施形態の方が第１実施形態と比較して、文字板１の模様と、ボス２５の模様とに、より一体感を持たせることができる。
【００５６】
図９に、本実施形態の第２の例としてのボス２５の側面斜視図を示す。本実施形態では、ボス２５の上面２５ａを曲面（球面状）とする場合を例として説明したが、図９に示すように、ボス２５の上面２５ａを円錐形状とすることもできる。この場合、ボス２５の上面２５ａに光源２３から入射した光が、文字板１に対して略垂直方向に、反射するように、面の角度を設定する。
【００５７】
ただし、この場合、上面２５ａと側面２５ｂとが不連続な面となるため、光源２３の点灯時におけるボス２５の上面２５ａと側面２５ｂとに表された線模様において、上面２５ａと側面２５ｂとの境で線が途切れた感じを視認者に与えてしまう。
【００５８】
したがって、ボス２５の上面２５ａと側面２５ｂとに表される線模様を連続させるために、図６（ｂ）に示すように、上面２５ａを球面状とすることで、上面２５ａと側面２５ｂとが連続した面となるようにすることが好ましい。
【００５９】
図１０に、本実施形態の第３の例としてのボス２５の側面斜視図を示す。図１０に示すように、ボス２５の表面形状を、図６（ｂ）に示すボス２５の形状に対して、側面２５ｂが上面２５ａから文字板１に向かって据え広がる形状とすることもできる。すなわち、ボス２５の運転者側の面全体を球面とすることもできる。
【００６０】
ただし、この場合では、ボス２５の径が大きくなるため、ボス２５の径を小さくするという観点から、ボス２５の形状を図６（ｂ）に示す形状とすることが好ましい。
【００６１】
（他の実施形態）
（１）上記した各実施形態では、ボス３、２５と指針２とを別部材で構成した場合を例として説明したが、ボス３、２５と指針２とを同一材料で一体的に形成することもできる。
【００６２】
（２）上記した各実施形態では、ボス３、２５が指針２とともに回動する場合を例として説明したが、ボス３、２５が回動しないようにすることもできる。
【００６３】
（３）上記した各実施形態では、ボス３、２５の溝３ａ、２５ｃを同心円状に配置する場合を例として説明したが、光源４、２３の点灯時にボス３、２５の表面に線模様を付すことができる配置であれば、溝３ａ、２５ｃの配置形状を他の形状とすることもできる。
【００６４】
ボスの表面に光の線模様を付すためには、溝は、光の進行方向に対して、略垂直方向に伸びるように、かつ、複数の溝が平行に配置されていればよい。なお、ここでいう略直角には、９０°に対して１０°前後の範囲を含む。
【００６５】
そこで、例えば、図示しないが、楕円形状、多角形形状に溝３ａ、２５ｃをボス３、２５の表面に配置することもできる。また、例えば、図示しないが、上記した各実施形態における同心円状の溝に対して、光の模様が表されない部分の溝を省略し、光の進行方向上にのみ、断続的に、複数の平行な溝を配置し、不連続した形状の溝を配置することもできる。
【００６６】
また、複数の溝は、必ずしも互いに平行としなくてもよい。例えば、波形形状のように連続した形態の溝をボス３、２５の表面に放射状に設け、その波形形状の振幅方向に対応する隣り合う溝の方向が光源からの光の入射方向に対して交差する方向に延びていればよいのである。このようにしても、光源の点灯時にボス表面に光の線模様を表すことができる。なお、ボスの表面に、よりくっきりと光の線模様を表すという観点では、複数の溝を平行に配置することが好ましい。
【００６７】
（４）上記した各実施形態では、ボス３、２５と、文字板１とに、同じ同心円形状の溝３ａ、２５ｃ、１ａを形成する場合を例として説明したが、ボス３、２５を強調するという観点では、ボス３、２５と、文字板１とに、異なる配置形状の溝を形成することもできる。
【００６８】
（５）上記した各実施形態では、光源４、２３を文字板１の外周に一定間隔で８個配置することで、光源４、２３の点灯時に、ボス３、２５の表面に、放射状の８本の線模様を表す場合を例として説明したが、光源の数や配置場所については任意に変更することが可能である。また、光源からの光の進行方向に応じて、溝をボスの表面に配置することで、ボスの表面に表される光の線模様を、放射状以外の他の模様とすることもできる。
【００６９】
（６）上記した各実施形態では、スピードメータを例として説明したが、タコメータ等の他の指針を有するタイプの車両用計器においても、本発明を適用することができる。
【図面の簡単な説明】
【００７０】
【図１】本発明の第１実施形態における車両用計器の正面図である。
【図２】（ａ）は図１の車両用計器のＡ−Ａ’線断面図であり、（ｂ）は図１、２（ａ）中のボス３の側面斜視図である。
【図３】光源点灯時における図１の車両用計器の正面図である。
【図４】光源点灯時における図１の車両用計器のＡ−Ａ’線断面図である。
【図５】本発明の第２実施形態における車両用計器の正面図である。
【図６】（ａ）は図５の車両用計器のＡ−Ａ’線断面図であり、（ｂ）は図５、６（ａ）中のボス２５の側面斜視図である。
【図７】光源点灯時における図５の車両用計器の正面図である。
【図８】光源点灯時における図５の車両用計器のＡ−Ａ’線断面図である。
【図９】第２実施形態の第２の例におけるボスの側面斜視図である。
【図１０】第２実施形態の第３の例におけるボスの側面斜視図である。
【符号の説明】
【００７１】
１…文字板、２…指針、３、２５…ボス、３ａ、２５ｃ…溝、４、２３…光源、
５…基板、６…文字板用の光源、７…反射板、８…ムーブメント、９…導光体、
１０…カバー、１１…目盛り、１２…遮光板、１３…拡散板、２１…プレート、
２２…光源用基板、２４…カバー。
【図１】
2006084197.tif 000003
【図２】
2006084197.tif 000004
【図３】
2006084197.tif 000005
【図４】
2006084197.tif 000006
【図５】
2006084197.tif 000007
【図６】
2006084197.tif 000008
【図７】
2006084197.tif 000009
【図８】
2006084197.tif 000010
【図９】
2006084197.tif 000011
【図１０】
2006084197.tif 000012